(57)【要約】【課題】外観が良好であり、鮮明な写真を見ることができ、耐久性が高く、且つ、簡易に製作できるアルバム用シート及び該アルバム用シートを用いたアルバムを得る。【解決手段】本発明は、表面に少なくとも１つの写真３が焼き付けられ、且つ、裏面側に折曲されて２つ折りされた印画紙１の裏面側に、所定温度で熱融着する熱融着シート５が挿入され、該熱融着シート５が熱融着されることによって、該印画紙１の対峙する裏面が相互に接着されて成るアルバム用シートを提供する。【選択図】  図２
2004314453.tif 000002
【特許請求の範囲】
【請求項１】
表面に少なくとも１つの写真が焼き付けられ、且つ、裏面側に折曲されて２つ折りされた印画紙の裏面側に、所定温度で熱融着する熱融着シートが挿入され、該熱融着シートが熱融着されることによって、該印画紙の対峙する裏面が相互に接着されて成ることを特徴とするアルバム用シート。
【請求項２】
表面に少なくとも１つの写真が焼き付けられ、且つ、裏面側に折曲されて２つ折りされた印画紙の裏面側に、所定温度で熱融着する熱融着シートが挿入され、該熱融着シートが熱融着されることによって、該印画紙の対峙する裏面が相互に接着されて成るアルバム用シートであって、複数の該アルバム用シートを製本して構成されることを特徴とするアルバム。
【請求項３】
上記製本はリングファイル、又は、ダブルリングファイル製本であることを特徴とする請求項２記載のアルバム。
【発明の詳細な説明】
【０００１】
【発明の属する技術分野】
この発明は、アルバム用シート及び該アルバム用シートを用いたアルバムに関するものであり、特に、外観が良好であり、鮮明な写真を見ることができ、耐久性が高く、且つ、簡易に製作できるアルバム用シート及び該アルバム用シートを用いたアルバムに関するものである。
【０００２】
【従来の技術および発明が解決しようとする課題】
従来の此種アルバム用シート、又は、アルバムとして、台紙表面に所定パターンで粘着剤が塗布され、該粘着剤によって、該台紙に透明フイルムが貼着及び剥離自在に積層され、該台紙と透明フイルム間に写真等を保持可能にしたアルバム用シートや、複数枚の該アルバム用シートを製本して構成したアルバムは既に知られており（例えば、特許文献１参照）、該特許文献１は、更に、前記粘着剤によって色彩、文字、記号、又は、図形等を表示し、装飾的効果、広告的効果、又は、位置出し効果等を持たせたものである。
【０００３】
然しながら、前記アルバム用シート、及び、アルバムは、粘着剤を用いるため、長期間保存すると該粘着剤が写真の裏面に強固に接着し、台紙から写真を剥離できなくなる等の問題があり、又、透明フイルムで写真をカバーするため、該透明フイルムが反射して写真が見にくい欠点がある。更に、粘着剤及び透明シートを用いるため、製作が煩雑であり、コスト高となっていた。
【０００４】
一方、写真用印画紙を２つ折りにし裏面を接着してアルバム用シートを作成し、複数の該アルバム用シートを製本してアルバムにする方法も知られている。該アルバムは前述の透明フイルムを用いないため写真も見やすく、製作も容易である。
【０００５】
然しながら、一般に印画紙はその焼付け工程に於て薬液内を通すため、撥水性の紙が使用され、該撥水性の紙の表面は接着剤が付着しにくいため、前述の２つ折りした印画紙の裏面の接着性が悪く、良好な外観を呈するアルバム用シート、及び、アルバムが得られないという問題がある。
【０００６】
そこで、外観が良好であり、鮮明な写真を見ることができ、耐久性が高く、且つ、簡易に製作できるアルバム用シート及び該アルバム用シートを用いたアルバムを得るために解決すべき技術的課題が生じてくるのであり、本発明はこの課題を解決することを目的とする。
【０００７】
【特許文献１】
特開平６−８６８２号公報  （第１−５頁、第１−５図）
【０００８】
【課題を解決するための手段】
本発明は上記目的を達成するために提案されたものであり、請求項１記載の発明は、表面に少なくとも１つの写真が焼き付けられ、且つ、裏面側に折曲されて２つ折りされた印画紙の裏面側に、所定温度で熱融着する熱融着シートが挿入され、該熱融着シートが熱融着されることによって、該印画紙の対峙する裏面が相互に接着されて成ることを特徴とするアルバム用シートである。
【０００９】
この請求項１記載の発明によれば、前記熱融着シートの前記印画紙の裏面との接着性が良好であり、２つ折りされたアルバム用シートの裏面が良好に接着され外観が良好となり、且つ、簡易に製作できる。又、前記熱融着シートは印画紙を劣化させることがなく、従って、アルバム用シートの耐久性が高く、且つ、該アルバム用シートは印画紙に焼き付けた写真を直接見ることができ、従来例の透明フイルムを用いたアルバム用シートに比較して鮮明な写真を見ることができるという利点がある。
【００１０】
又、請求項２記載の発明は、表面に少なくとも１つの写真が焼き付けられ、且つ、裏面側に折曲されて２つ折りされた印画紙の裏面側に、所定温度で熱融着する熱融着シートが挿入され、該熱融着シートが熱融着されることによって、該印画紙の対峙する裏面が相互に接着されて成るアルバム用シートであって、複数の該アルバム用シートを製本して構成されることを特徴とするアルバムである。
【００１１】
この請求項２記載の発明によれば、前記熱融着シートの前記印画紙の裏面との接着性が良好であり、２つ折りされたアルバム用シートの裏面が良好に接着され外観が良好となり、且つ、簡易に製作できる。又、前記熱融着シートは印画紙を劣化させることがなく、従って、アルバム用シートの耐久性が高く、又、該アルバム用シートは印画紙に焼き付けた写真を直接見ることができ、従来例の透明フイルムを用いたアルバム用シートに比較して写真が見易いという利点がある。又、該アルバム用シートを用いて容易にアルバムに製本することができ、アルバムの外観も良好である。
【００１２】
更に、請求項３記載の発明は、上記製本はリングファイル、又は、ダブルリングファイル製本であることを特徴とする請求項２記載のアルバムである。
【００１３】
この請求項３記載の発明によれば、前記リングファイル、又は、ダブルリングファイルのリングは脱着自在であり、製本が容易であると共に、アルバム用シートの追加、抜き取り、差し替え等が容易である。
【００１４】
【発明の実施の形態】
以下、本発明の一実施の形態を図１乃至図１３に従って詳述する。図１（ａ）に於て、１は印画紙であり、該印画紙１に、例えば、デジタルカメラ（図示せず）で撮影された一つの映像が該印画紙１の下半部に正立像の写真２として焼付けられ、他の画像が該印画紙１の上半部に倒立像の写真３として焼き付けられる。
【００１５】
そして、該印画紙１の左右に延びる上下方向中心線４によって該印画紙１を裏面側に折曲して、同図（ｂ）に示す如く、２つ折りにし、図２に示す如く、２つ折りにした該印画紙１の裏面側に、２つ折りにした該印画紙１と略同寸法に裁断された熱融着シート５を挿入する。該熱融着シート５は同図（ｂ）に示す如く、紙、又は、合成樹脂等のシート５ａの上下面に熱融着剤層５ｂ及び５ｃを塗布したものであり、該熱融着剤層５ｂ，５ｃは約１３０℃で溶融する接着剤から成り、この熱融着によって撥水性の前記印画紙１の裏面と良好に接着する。尚、前記熱融着シート５は前述した熱融着剤のみで形成しても良く、然る時も略同様の効果が期待できる。
【００１６】
次に、前記熱融着シート５を挿入した前記印画紙１をラミネーター（図示せず）等の加熱手段によって該印画紙１の対峙する裏面を相互に熱融着させて、図３に示す如く、対峙する裏面が相互に接着されたアルバム用シート６を形成し、更に、図４に示す如く、該アルバム用シート６を所定の形状にトリミングし、且つ、リングファイル又はダブルリングファイル製本する為の孔明けを行う。そして、図５に示す如く、該アルバム用シート６と同様のアルバム用シート６，６…を複数枚作成し、該アルバム用シート６，６…を本文として、該アルバム用シート６，６…に合わせて、表紙７、表紙に続く見返し８、裏表紙の前の見返し９、及び、裏表紙１０を夫々作成する。
【００１７】
そして、該裏表紙１０、見返し９、アルバム用シート６，６…、見返し８、及び、表紙７を順次積み重ねて図６に示す如くリングファイル、又は、ダブルリングファイル用のリング１１を用いて製本すれば、リングファイル、又は、ダブルリングファイル製本されたアルバム１２が完成する。
【００１８】
斯くして、前記アルバム用シート６は前記熱融着シート５と印画紙１の裏面との接着性が良好であり、２つ折りされた前記印画紙１の裏面が良好に接着されるため外観が良好であり、且つ、簡易に製作できる。又、前記熱融着シート５が印画紙１を劣化させることがなく、従って、アルバム用シート６の耐久性が高く、又、該アルバム用シート６は印画紙１に映像を焼き付けた写真２，３を直接見ることができ、従来例の透明フイルムを用いたアルバム用シートに比較して鮮明な写真を見ることができるという利点がある。
【００１９】
又、前記リングファイル、又は、ダブルリングファイル用のリング１１は脱着自在であり、製本が容易である共に、アルバム用シートの追加、抜き取り、差し替え等が容易である。
【００２０】
更に、該アルバム用シート６を用いて容易にアルバム１２に製本することができ、且つ、良好な外観のアルバム６を得ることができる。
【００２１】
次に、カメラ付携帯電話（図示せず）で撮影した映像を焼き付けてアルバム用シート、及び、アルバムを作成する場合を説明する。
【００２２】
図７に示す如く、カメラ付携帯電話で撮影された映像が印画紙１３の上下左右４位置に夫々正立像の写真１４，１５，１６，１７として焼付けられる。
【００２３】
そして、該印画紙１３の上下方向に延びる左右方向中心線１８で該印画紙１３を裏面側に折曲して、同図（ｂ）に示す如く、該印画紙１３を２つ折りにし、２つ折りにした該印画紙１３の裏面側に、図８に示す如く熱融着シート１９を挿入する。該熱融着シート１９は前記熱融着シート（図２に於て５）と同様に構成され、２つ折りされた前記印画紙１３に合わせた寸法に裁断されたものである。
【００２４】
次に、前記熱融着シート１９を挿入した前記印画紙１３をラミネーター（図示せず）等の加熱手段によって熱融着し、図９（ａ）に示す如くアルバム用シート２０を作成し、更に、左右方向に延びる上下中央線２１で裁断して同図（ｂ）に示す如く表面、及び、裏面に各一枚の写真が表示されるようにし、次に、図１０に示す如く、該アルバム用シート２０をトリミングし、且つ、リングファイル、又は、ダブルリングファイル製本する為の孔明けを行う。そして、図１１に示す如く、該アルバム用シート２０と同様のアルバム用シート２０を複数枚作成し、次に、該アルバム用シート２０を本文として、該アルバム用シート２０に対応する表紙２２、表紙に続く見返し２３、裏表紙の前の見返し２４、及び、裏表紙２５を作成し、該裏表紙２５、見返し２４、アルバム用シート２０，２０…、見返し２３、表紙２２と順次積み重ねて図１２に示す如くリングファイル、又は、ダブルリングファイル用のリング２６を用いて製本すれば、リングファイル又はダブルリングファイル製本されたアルバム２７が完成する。
【００２５】
而して、前記アルバム用シート２０、及び、アルバム２７も前記アルバム用シート６、及び、アルバム１２と略同様の効果が期待できる。
【００２６】
図１３は他のアルバム用シート２８を示し、該アルバム用シート２８は１ページに複数の写真２９，２９…を任意のレイアウトで焼き付け、且つ、該写真２９，２９…のタイトル文字３０をコンピュータ（図示せず）の機能等を利用して作成し焼付けたものであり、前述のアルバム用シート６と略同様な工程でアルバム用シートとして作成される。
【００２７】
このように、写真２９，２９…、文字３０、或いは、絵、デザイン等を任意のレイアウトに編集して焼き付けることも可能であり、前記アルバム用シート２８を用いて、例えば、卒業アルバム、記念写真アルバム等を作成することもできる。そして、該アルバム用シート２８は、焼き付けられた写真を直接見ることができるので、従来の透明フイルムを通して写真を見るアルバム用シートや、印刷で作成されたアルバム用シート等に比較して、鮮明な画像を楽しむことができる。
【００２８】
尚、本発明は、本発明の精神を逸脱しない限り種々の改変を為すことができ、そして、本発明が該改変されたものに及ぶことは当然である。
【００２９】
【発明の効果】
本発明は上記一実施の形態に詳述したように、請求項１記載の発明は、表面に少なくとも１つの写真が焼き付けられ、且つ、裏面側に折曲されて２つ折りされた印画紙の裏面側に、所定温度で熱融着する熱融着シートが挿入され、該熱融着シートが熱融着されることによって、該印画紙の対峙する裏面が相互に接着されて成るアルバム用シートであるので、該アルバム用シートは前記熱融着シートと印画紙の裏面との接着性が良好であり、２つ折りされたアルバム用シートの裏面が良好に接着されるため、外観が良好であり、且つ、簡易に製作できる。又、前記熱融着シートは印画紙を劣化させることがなく、従って、アルバム用シートの耐久性が高く、又、該アルバム用シートは印画紙に焼き付けた写真を直接見ることができ、従来例の透明フイルムを用いたアルバム用シートに比較して鮮明な写真を見ることができるという利点がある。
【００３０】
又、請求項２記載の発明は、表面に少なくとも１つの写真が焼き付けられ、且つ、裏面側に折曲されて２つ折りされた印画紙の裏面側に、所定温度で熱融着する熱融着シートが挿入され、該熱融着シートが熱融着されることによって、該印画紙の対峙する裏面が相互に接着されて成るアルバム用シートであって、複数の該アルバム用シートを製本して構成されるアルバムであり、請求項１記載の発明の効果に加え、該アルバム用シートを用いて容易にアルバムに製本することができ、アルバムの外観も良好である。
【００３１】
更に、請求項３記載の発明は、上記製本はリングファイル、又は、ダブルリングファイル製本であるので、該リングファイル、又は、ダブルリングファイルのリングは脱着自在であり、製本が容易である共に、アルバム用シートの追加、抜き取り、差し替え等が容易である等、正に著大なる効果を奏する発明である。
【図面の簡単な説明】
【図１】（ａ）本発明の一実施の形態を示し、デジタルカメラで撮影した写真を焼き付けた印画紙の正面図。
（ｂ）前図（ａ）の印画紙を２つ折りにした斜視図。
【図２】（ａ）前図１の２つ折りにした印画紙内に熱融着シートを挿入する説明図。
（ｂ）前図（ａ）の熱融着シートの断面図。
【図３】前図２の印画紙の熱融着シートを熱融着して作成したアルバム用シートの正面図。
【図４】前図３のアルバム用シートをトリミング、及び、穴あけして完成されたアルバム用シートの正面図。
【図５】前図４のアルバム用シートを製本する前のアルバムの説明図。
【図６】前図５のアルバム用シートを用いて完成したアルバムの斜視図。
【図７】（ａ）本発明の他の実施の形態を示し、カメラ付携帯電話で撮影した写真を焼き付けた印画紙の正面図。
（ｂ）前図（ａ）の印画紙を２つ折りにした斜視図。
【図８】前図７の２つ折りにした印画紙内に熱融着シートを挿入する説明図。
【図９】（ａ）前図８の印画紙の熱融着シートを熱融着して作成したアルバム用シートの正面図。
（ｂ）前図（ａ）のアルバム用シートの上半部を裁断して形成したアルバム用シートの正面図。
【図１０】前図９のアルバム用シートをトリミング、及び、孔明けして完成されたアルバム用シートの正面図。
【図１１】前図１０のアルバム用シートを製本する前のアルバムの説明図。
【図１２】前図１１のアルバム用シートを用いて完成したアルバムの斜視図。
【図１３】本発明の更に他の実施例の形態を示し、複数の写真と文字を任意のレイアウトで焼き付けたアルバム用シートの正面図。
【符号の説明】
１，１３              印画紙
２，３，１４，１５，１６，１７，２９    写真
５，１９              熱融着シート
６，２０，２８        アルバム用シート
１２，２７              アルバム
【図１】
2004314453.tif 000003
【図２】
2004314453.tif 000004
【図３】
2004314453.tif 000005
【図４】
2004314453.tif 000006
【図５】
2004314453.tif 000007
【図６】
2004314453.tif 000008
【図７】
2004314453.tif 000009
【図８】
2004314453.tif 000010
【図９】
2004314453.tif 000011
【図１０】
2004314453.tif 000012
【図１１】
2004314453.tif 000013
【図１２】
2004314453.tif 000014
【図１３】
2004314453.tif 000015